(57)【要約】      （修正有）【課題】死産児に着せる際に当該死産児の腕を骨折・脱臼させてしまうことのない死産児用衣服を提供する。【解決手段】死産児用衣服１は、後身頃２と、後身頃２の上縁部左右箇所に折り曲げ可能に設けられ、後身頃２の前側で部分的に重ね合わされる一対の前身頃３，４と、重ね合わされた状態の一対の前身頃３，４の左右側部の脇下の所定箇所を、後身頃２の左右側部の対応する所定箇所にそれぞれ係着する係着手段５，６と、これらとは別体の帽子と、を備えている。係着手段５は、前身頃４側に一端が縫い付けられた紐体５ａと後身頃２側に一端が縫い付けられた紐体５ｂとにより構成されている。また、係着手段６は、前身頃３側に一端が縫い付けられた紐体６ａと後身頃２側に一端が縫い付けられた紐体６ｂとにより構成されている。【選択図】図３
0003216467.tif 000002
【実用新案登録請求の範囲】
【請求項１】
後身頃と、
前記後身頃の上縁部左右箇所にそれぞれ折り曲げ可能に設けられ、前記後身頃の前側で部分的に重ね合わされる一対の前身頃と、
重ね合わされた状態の前記一対の前身頃の左右側部の脇下の所定箇所を、前記後身頃の左右側部の対応する所定箇所にそれぞれ係着する係着手段と、
帽子と、
を備えたことを特徴とする死産児用衣服。
【請求項２】
前記後身頃が、体幹を支えるための体幹支持体を備える、請求項１に記載の死産児用衣服。
【考案の詳細な説明】
【技術分野】
【０００１】
本考案は、死産児用衣服に関する。すなわち、本考案は、基本的に、子宮内で既に死亡し、娩出された胎児に着用される衣服に関する。但し、本考案における「死産児」には、生後まもなく亡くなった新生児も含まれるものとする。
【背景技術】
【０００２】
従来、死産で生まれることができなかった胎児は、病院の金属製の箱等に保管され、妊婦によって確認されていた。
しかし、このように金属製の箱等に保管するやり方では、悲しむ家族が我が子を抱っこすることすらできず、最後の最後に何かしてあげたいという家族の気持ちが置き去りにされているのが現状であった。
そこで、最近、死産児に着せて抱っこすることを可能にする衣服（死産児用衣服）が種々提案され、使用に供されている（例えば、非特許文献１，２等を参照）。
【先行技術文献】
【非特許文献】
【０００３】
【非特許文献１】佐賀新聞LiVE「ぴったりの服で天国へ  手縫いベビー服贈る  死産の悲しみ超え、母親らボランティア」、［online］、［平成３０年２月１日検索］、インターネット〈URL:http://www.saga-s.co.jp/articles/-/7327〉
【非特許文献２】アメーバブログ「天使になったあおいへ〜不妊と不育・時々ワンコ〜」、［online］、［平成３０年２月１日検索］、インターネット〈URL: https: //ameblo.jp/lab703/entry-12031368791.html〉
【考案の概要】
【考案が解決しようとする課題】
【０００４】
ところで、死産児は、子供の死者と異なり、脆くて損壊しやすい。そのため、死産児に死産児用衣服を着せる際に当該死産児の腕を持ち上げたりすると、死産児の腕を骨折・脱臼させてしまう虞がある。また、妊娠２０週以降３０週くらいまでの大きさの死産児は、小さくて脆いため、抱っこすることが困難であると共に、抱っこしたときに、骨折したりする虞もある。
【０００５】
本考案は、従来技術における前記課題を解決するためになされたものであり、死産児に着せる際に当該死産児の腕を骨折・脱臼させてしまうことのない死産児用衣服を提供することを目的とする。また、本考案は、当該死産児用衣服を着せた死産児を抱っこしやすくなると共に、抱っこしたときに、小さくて脆い死産児が骨折したりすることを防止することのできる死産児用衣服を提供することを目的とする。
【課題を解決するための手段】
【０００６】
前記目的を達成するため、本考案に係る死産児用衣服の構成は、
（１）後身頃と、
前記後身頃の上縁部左右箇所にそれぞれ折り曲げ可能に設けられ、前記後身頃の前側で部分的に重ね合わされる一対の前身頃と、
重ね合わされた状態の前記一対の前身頃の左右側部の脇下の所定箇所を、前記後身頃の左右側部の対応する所定箇所にそれぞれ係着する係着手段と、
帽子と、
を備えたことを特徴とする。
【０００７】
本考案の死産児用衣服の上記（１）の構成によれば、当該死産児用衣服を展開し広げた状態で、後身頃の上に死産児を仰向けに寝かせ、一対の前身頃を、後身頃の上縁部左右箇所でそれぞれ折り曲げて、死産児の胸部及びお腹の上で重ね合わせた後、一対の前身頃の左右側部の脇下の所定箇所を、後身頃の左右側部の対応する所定箇所に係着するだけで、死産児に着せることができる。
すなわち、本考案の死産児用衣服の上記（１）の構成によれば、死産児の腕を持ち上げたりすることなく、死産児に着せることができる。従って、本考案の死産児用衣服の上記（１）の構成によれば、死産児に着せる際に当該死産児の腕を骨折・脱臼させてしまうことのない死産児用衣服を提供することができる。
【０００８】
本考案の死産児用衣服の上記（１）の構成においては、以下の（２）〜（５）のような構成にすることが好ましい。
【０００９】
（２）前記帽子が、前記後身頃の、前記一対の前身頃の折り曲げ箇所の間に一体に設けられている。
【００１０】
上記（２）の好ましい構成によれば、死産児用衣服を展開し広げた状態で、後身頃の上に死産児を仰向けに寝かせるときに同時に、死産児の頭に帽子を被せることができる。従って、上記（２）の好ましい構成によれば、死産児用衣服を死産児に着せる際の作業の効率化を図ることが可能となる。
【００１１】
（３）前記後身頃が、体幹を支えるための体幹支持体を備えている。
【００１２】
上記（３）の好ましい構成によれば、死産児用衣服を着せた死産児の背中部分を安定させることができるので、当該死産児用衣服を着せた死産児を抱っこしやすくなると共に、抱っこしたときに、小さくて脆い死産児が骨折したりすることを防止することもできる。
【００１３】
（４）前記後身頃、前身頃及び帽子の素材が不織布である。
【００１４】
上記（４）の好ましい構成によれば、肌触りが良く、死産児を傷付けることのない死産児用衣服を提供することが可能となる。
【００１５】
（５）前記後身頃、前身頃及び帽子の色がアイボリーである。
【００１６】
上記（５）の好ましい構成によれば、死産児の顔色が良く見えるようにすることが可能となる。
【考案の効果】
【００１７】
本考案によれば、死産児に着せる際に当該死産児の腕を骨折・脱臼させてしまうことのない死産児用衣服を提供することができる。また、本考案によれば、当該死産児用衣服を着せた死産児を抱っこしやすくなると共に、抱っこしたときに、小さくて脆い死産児が骨折したりすることを防止することのできる死産児用衣服を提供することができる。
【図面の簡単な説明】
【００１８】
【図１】本考案の実施の形態１における死産児用衣服の構成を示す正面図
【図２】本考案の実施の形態１における死産児用衣服の構成を示す背面図
【図３】本考案の実施の形態１における死産児用衣服の構成を示す展開正面図（帽子は省略）
【図４】本考案の実施の形態１における死産児用衣服の構成を示す展開背面図（帽子は省略）
【図５】本考案の実施の形態１における死産児用衣服の後身頃の上に死産児を仰向けに寝かせた状態を示す展開正面図
【図６】図５の状態から、向かって右側の前身頃を、後身頃の上縁部右側箇所で折り曲げて、死産児の胸部及びお腹の上に宛がった状態を示す正面図
【図７】本考案の実施の形態１における死産児用衣服を死産児に着せた状態を示す正面図
【図８】本考案の実施の形態２における死産児用衣服の構成を示す正面図
【図９】本考案の実施の形態２における死産児用衣服の構成を示す展開正面図
【図１０】本考案の実施の形態２における死産児用衣服の構成を示す展開背面図
【図１１】本考案の実施の形態２における死産児用衣服の後身頃の上に死産児を仰向けに寝かせた状態を示す展開正面図
【図１２】図１１の状態から、向かって右側の前身頃を、後身頃の右側縁部で折り曲げて、死産児の胸部及びお腹の上に宛がった状態を示す正面図
【図１３】本考案の実施の形態２における死産児用衣服を死産児に着せた状態を示す正面図
【考案を実施するための形態】
【００１９】
以下、好適な実施の形態を用いて本考案をさらに具体的に説明する。但し、下記の実施の形態は本考案を具現化した例に過ぎず、本考案はこれに限定されるものではない。
【００２０】
［実施の形態１］
（死産児用衣服の構成）
まず、本考案の実施の形態１における死産児用衣服の構成について、図１〜図４を参照しながら説明する。
【００２１】
図１は本考案の実施の形態１における死産児用衣服の構成を示す正面図、図２は当該死産児用衣服の構成を示す背面図、図３は当該死産児用衣服の構成を示す展開正面図（帽子は省略）、図４は当該死産児用衣服の構成を示す展開背面図（帽子は省略）である。
【００２２】
図１〜図４に示すように、本実施の形態の死産児用衣服１は、後身頃２と、後身頃２の上縁部左右箇所にそれぞれ折り曲げ可能に設けられ、後身頃２の前側で部分的に重ね合わされる一対の前身頃３，４と、重ね合わされた状態の一対の前身頃３，４の左右側部の脇下の所定箇所を、後身頃２の左右側部の対応する所定箇所にそれぞれ係着する係着手段５，６と、これらとは別体の帽子７と、を備えている。ここで、後身頃２と一対の前身頃３，４は、別々に裁断された後、縫い合わされており、当該縫い合わされた部分で前身頃３，４を折り曲げるようにされている。
【００２３】
係着手段５は、前身頃４側に一端が縫い付けられた紐体５ａと後身頃２側に一端が縫い付けられた紐体５ｂとにより構成されている。また、係着手段６は、前身頃３側に一端が縫い付けられた紐体６ａと後身頃２側に一端が縫い付けられた紐体６ｂとにより構成されている。そして、紐体５ａ（６ａ）と紐体５ｂ（６ｂ）を結ぶことにより、重ね合わされた状態の一対の前身頃３，４の左右側部の脇下の所定箇所を、後身頃２の左右側部の対応する所定箇所にそれぞれ係着して、死産児の腕を通す袖口を作ることができるようにされている（図１，図２，図７を参照）。
尚、重ね合わされた状態の一対の前身頃３，４は、前身頃３側に一端が縫い付けられた紐体８ａ（９ａ）と前身頃４側に一端が縫い付けられた紐体８ｂ（９ｂ）を結ぶことにより、しっかりと固定できるようにされている。
また、帽子７には、下端部の左右にそれぞれ紐体７ａ，７ｂの一端が縫い付けられており、紐体７ａ，７ｂを死産児１０の顎の下で結ぶことにより、帽子７を死産児１０の頭にしっかりと固定できるようにされている（図７を参照）。
【００２４】
本実施の形態の死産児用衣服１の構成によれば、当該死産児用衣服１を展開し広げた状態（図３の状態）で、後身頃２の上に死産児１０を仰向けに寝かせ（図５を参照）、一対の前身頃３，４を、後身頃２の上縁部左右箇所でそれぞれ折り曲げて、死産児１０の胸部及びお腹の上で重ね合わせた後、一対の前身頃３，４の左右側部の脇下の所定箇所を、後身頃２の左右側部の対応する所定箇所に係着するだけで（図６，図７を参照）、死産児１０に着せることができる。
すなわち、本実施の形態の死産児用衣服１の構成によれば、死産児１０の腕を持ち上げたりすることなく、死産児１０に着せることができる。従って、本実施の形態の死産児用衣服１の構成によれば、死産児１０に着せる際に当該死産児１０の腕を骨折・脱臼させてしまうことのない死産児用衣服を提供することができる。
【００２５】
後身頃２、一対の前身頃３，４及び帽子６の素材は不織布であることが好ましい。このような好ましい構成によれば、肌触りが良く、死産児１０を傷付けることのない死産児用衣服を提供することが可能となる。本実施の形態においては、不織布として、綿の接結ニットが用いられている。綿の接結ニットは、肌触りも柔らかく、適度な厚みがあるため、死産児用衣服１の素材として好適である。
【００２６】
後身頃２、一対の前身頃３，４及び帽子６の色はアイボリーであることが好ましい。このような好ましい構成によれば、死産児１０の顔色が良く見えるようにすることが可能となる。
【００２７】
死産児用衣服１は、妊娠３０週以降の大きさの死産児１０に着用されるもの（Ｌサイズ；着丈４０ｃｍ）である。
【００２８】
（死産児用衣服の着用方法）
次に、本考案の実施の形態１における死産児用衣服の着用方法について、図５〜図７をも参照しながら説明する。
【００２９】
図５は本考案の実施の形態１における死産児用衣服の後身頃の上に死産児を仰向けに寝かせた状態を示す展開正面図、図６は図５の状態から、向かって右側の前身頃を、後身頃の上縁部右側箇所で折り曲げて、死産児の胸部及びお腹の上に宛がった状態を示す正面図、図７は当該死産児用衣服を死産児に着せた状態を示す正面図である。
【００３０】
まず、図３に示すように、死産児用衣服１を、展開した状態でベッド等の上に広げる。
次いで、図５に示すように、後身頃２の上に死産児１０を仰向けに寝かせる。
次いで、図５，図６に示すように、展開した状態の死産児用衣服１の向かって右側の前身頃４を、後身頃２の上縁部右側箇所で折り曲げて、死産児１０の胸部及びお腹の上に宛がう。次いで、図６，図７に示すように、死産児用衣服１の向かって左側の前身頃３を、後身頃２の上縁部左側箇所で折り曲げて、死産児１０の胸部及びお腹の上に宛がう。このとき、前身頃３は、前身頃４に部分的に重ね合わされた状態となる（前合わせ）。
次いで、図７に示すように、重ね合わされた状態の一対の前身頃３，４を、紐体８ａ（９ａ）と紐体８ｂ（９ｂ）を結ぶことにより、しっかりと固定する。次いで、紐体５ａ（６ａ）と紐体５ｂ（６ｂ）を結ぶことにより、重ね合わされた状態の一対の前身頃３，４の左右側部の脇下の所定箇所を、後身頃２の左右側部の対応する所定箇所にそれぞれ係着する。最後に、死産児１０の頭に帽子７を被せ、紐体７ａ，７ｂを死産児１０の顎の下で結ぶ。これにより、帽子７が死産児１０の頭にしっかりと固定される。
以上により、死産児１０への死産児用衣服１の着用が完了する。
【００３１】
尚、本実施の形態においては、後身頃２、一対の前身頃３，４、係着手段５，６とは別体の帽子７を備える場合を例に挙げて説明したが、本考案は必ずしもこのような構成に限定されるものではない。帽子は、後身頃２の、一対の前身頃３，４の折り曲げ箇所の間に一体に設けるようにしてもよい。かかる構成によれば、死産児用衣服１を展開し広げた状態で、後身頃２の上に死産児１０を仰向けに寝かせるときに同時に、死産児１０の頭に帽子を被せることができる。従って、かかる構成によれば、死産児用衣服１を死産児１０に着せる際の作業の効率化を図ることが可能となる。
【００３２】
また、本実施の形態においては、後身頃２と一対の前身頃３，４を別々に裁断し、両者を縫い合わせるようにされているが、本考案は必ずしもこのような構成に限定されるものではない。後身頃と一対の前身頃は、一枚の生地として裁断するようにしてもよい。
【００３３】
また、本実施の形態においては、係着手段５，６が、紐体５ａ（６ａ）と紐体５ｂ（６ｂ）を結ぶものである場合を例に挙げて説明したが、本考案は必ずしもこのような構成に限定されるものではない。係着手段は、例えば、ボタンとボタン留めとにより構成されていてもよく、雄型の面ファスナと雌型の面ファスナとにより構成されていてもよい。
また、本実施の形態においては、係着手段５，６がそれぞれ１つ設けられている場合を例に挙げて説明したが、本考案は必ずしもこのような構成に限定されるものではない。係着手段はそれぞれ複数設けられていてもよい。
【００３４】
［実施の形態２］
（死産児用衣服の構成）
まず、本考案の実施の形態２における死産児用衣服の構成について、図８〜図１０を参照しながら説明する。
【００３５】
図８は本考案の実施の形態２における死産児用衣服の構成を示す正面図、図９は当該死産児用衣服の構成を示す展開正面図、図１０は当該死産児用衣服の構成を示す展開背面図である。
【００３６】
図８〜図１０に示すように、本実施の形態の死産児用衣服１１は、後身頃１２と、後身頃１２の左右両縁部にそれぞれ折り曲げ可能に設けられ、後身頃１２の前側で部分的に重ね合わされる一対の前身頃１３，１４と、後身頃１２の上縁部分に一体に設けられた帽子１７と、を備えている。ここで、後身頃１２と一対の前身頃１３，１４は、別々に裁断された後、縫い合わされており、当該縫い合わされた部分で前身頃１３，１４を折り曲げるようにされている。
尚、重ね合わされた状態の一対の前身頃１３，１４は、前身頃１３側に一端が縫い付けられた紐体１８ａ（１９ａ）と前身頃１４側に一端が縫い付けられた紐体１８ｂ（１９ｂ）を結ぶことにより、しっかりと固定できるようにされている。
また、帽子１７には、下端部の左右にそれぞれ紐体１７ａ，１７ｂの一端が縫い付けられており、紐体１７ａ，１７ｂを死産児２１の顎の下で結ぶことにより、帽子１７を死産児２１の頭にしっかりと固定できるようにされている。
【００３７】
本実施の形態の死産児用衣服１１の構成によれば、当該死産児用衣服１１を展開し広げた状態（図９の状態）で、後身頃１２の上に死産児２１を仰向けに寝かせ（図１１を参照）、一対の前身頃１３，１４を、それぞれ後身頃１２の左右両縁部で折り曲げて、死産児２１の胸部及びお腹の上で重ね合わせるだけで（図１２，図１３を参照）、「おくるみ」のようにして死産児２１に着せることができる。
また、本実施の形態の死産児用衣服１１の構成によれば、帽子１７が後身頃１２の上縁部分に一体に設けられているので、死産児用衣服１１を展開し広げた状態で、後身頃１２の上に死産児２１を仰向けに寝かせるときに同時に、当該死産児２１の頭に帽子１７を被せることができる。従って、本実施の形態の死産児用衣服１１の構成によれば、死産児用衣服１１を死産児２１に着せる際の作業の効率化を図ることが可能となる。
【００３８】
後身頃１２、一対の前身頃１３，１４及び帽子１７の素材は不織布であることが好ましい。このような好ましい構成によれば、肌触りが良く、死産児２１を傷付けることのない死産児用衣服を提供することが可能となる。本実施の形態においては、不織布として、綿の接結ニットが用いられている。綿の接結ニットは、肌触りも柔らかく、適度な厚みがあるため、死産児用衣服１１の素材として好適である。
【００３９】
後身頃１２、一対の前身頃１３，１４及び帽子１７の色はアイボリーであることが好ましい。このような好ましい構成によれば、死産児２１の顔色が良く見えるようにすることが可能となる。
【００４０】
死産児用衣服１１は、妊娠２０週以降３０週くらいまでの大きさの死産児２１に着用されるもの（Ｓサイズ；着丈２５ｃｍ）である。
Ｓサイズの死産児用衣服１１においては、後身頃１２が、体幹を支えるための体幹支持体２０を備えている。本実施の形態においては、体幹支持体２０として、体幹を支えられるような厚めのパッド（大きさ；横７ｃｍ，縦１８ｃｍ）が用いられており、後身頃１２の正面側に縫い付けられている。かかる構成によれば、死産児用衣服１１を着せた死産児２１の背中部分を安定させることができるので、当該死産児用衣服１１を着せた死産児２１を抱っこしやすくなると共に、抱っこしたときに、小さくて脆い死産児２１が骨折したりすることを防止することもできる。
尚、上記実施の形態１のＬサイズの死産児用衣服１は、体幹支持体を備えない構成となっているが、本考案は必ずしもこのような構成に限定されるものではない。Ｌサイズの死産児用衣服１においても、体幹支持体を備える構成としてよい。
【００４１】
（死産児用衣服の着用方法）
次に、本考案の実施の形態２における死産児用衣服の着用方法について、図１１〜図１３をも参照しながら説明する。
【００４２】
図１１は本考案の実施の形態２における死産児用衣服の後身頃の上に死産児を仰向けに寝かせた状態を示す展開正面図、図１２は図１１の状態から、向かって右側の前身頃を、後身頃の右側縁部で折り曲げて、死産児の胸部及びお腹の上に宛がった状態を示す正面図、図１３は当該死産児用衣服を死産児に着せた状態を示す正面図である。
【００４３】
まず、図９に示すように、死産児用衣服１１を、展開した状態でベッド等の上に広げる。
次いで、図１１に示すように、後身頃１２の上に死産児２１を仰向けに寝かせる。このとき同時に、当該死産児２１の頭に帽子１７を被せ、紐体１７ａ，１７ｂを死産児２１の顎の下で結ぶ。これにより、帽子１７が死産児２１の頭にしっかりと固定される。
次いで、図１１，図１２に示すように、展開した状態の死産児用衣服１１の向かって右側の前身頃１４を、後身頃１２の右側縁部で折り曲げて、死産児２１の胸部及びお腹の上に宛がう。次いで、図１２，図１３に示すように、死産児用衣服１１の向かって左側の前身頃１３を、後身頃１２の左側縁部で折り曲げて、死産児２１の胸部及びお腹の上に宛がう。このとき、前身頃１３は、前身頃１４に部分的に重ね合わされた状態となる（前合わせ）。最後に、重ね合わされた状態の一対の前身頃１３，１４を、紐体１８ａ（１９ａ）と紐体１８ｂ（１９ｂ）を結ぶことにより、しっかりと固定する。
以上により、死産児２１への死産児用衣服１１の着用が完了する。
【００４４】
尚、本実施の形態においては、後身頃１２と一対の前身頃１３，１４を別々に裁断し、両者を縫い合わせるようにされているが、本考案は必ずしもこのような構成に限定されるものではない。後身頃と一対の前身頃は、一枚の生地として裁断するようにしてもよい。
【符号の説明】
【００４５】
１，１１  死産児用衣服
２，１２  後身頃
３，４，１３，１４  前身頃
５，６  係着手段
５ａ，５ｂ，６ａ，６ｂ  紐体
７，１７  帽子
【図１】
0003216467.tif 000003
【図２】
0003216467.tif 000004
【図３】
0003216467.tif 000005
【図４】
0003216467.tif 000006
【図５】
0003216467.tif 000007
【図６】
0003216467.tif 000008
【図７】
0003216467.tif 000009
【図８】
0003216467.tif 000010
【図９】
0003216467.tif 000011
【図１０】
0003216467.tif 000012
【図１１】
0003216467.tif 000013
【図１２】
0003216467.tif 000014
【図１３】
0003216467.tif 000015